(57)【要約】【課題】電気料金の安い時間帯を選んで電気製品等を使用する需要家に対し、スマートメータの内蔵時計の時刻と屋内に設置された時計の時刻が合っていない場合でも不具合が生じるおそれのない電源供給装置を提供する。【解決手段】電源供給装置１は、時刻信号を送信するスマートメータ２と、この時刻信号を受信するコンセント３によって構成されており、スマートメータ２は、端子部２ａに接続された機器等によって消費された電力量を求める計量部２ｂと、消費された電力量に基づいて課金計算等の演算を行う演算部２ｃと、内蔵時計２ｇと、通信部２ｈを備えており、コンセント３は、スマートメータ２の通信部２ｈから送信された信号を受信する受信部３ａと、タイマー３ｂと、差込プラグ３ｇと、差込口３ｈと、差込プラグ３ｇと差込口３ｈを接続する回路を制御部３ｃの指示に従って開閉する開閉部３ｉを備えている。【選択図】図１
2018072080.tif 000002
【特許請求の範囲】
【請求項１】
スマートメータとコンセントからなり、
前記スマートメータは、内蔵時計と、この内蔵時計の現在時刻を示す「時刻信号」と「識別信号」を発する通信部と、を備え、
前記コンセントは、前記「時刻信号」と前記「識別信号」を受信する第１の受信部と、タイマーと、「第２の識別番号」が保存されたメモリと、差込口と、差込プラグと、この差込プラグと前記差込口を接続する回路と、この回路を開閉する開閉部と、この開閉部の動作を制御する第１の制御部と、を備え、
前記第１の受信部が受信した前記「識別信号」により特定される「第１の識別番号」が前記メモリに保存された前記「第２の識別番号」と一致した場合に、前記タイマーは前記「時刻信号」に基づいて前記内蔵時計の現在時刻に合わせて時刻を修正し、
前記開閉部は、前記タイマーに従って前記回路を開閉することを特徴とする電源供給装置。
【請求項２】
前記スマートメータの前記通信部から送信された前記「時刻信号」を受信する第２の受信部と、
電波時計と、     
第２の制御部と、
この第２の制御部の指示に従って動作するランプと、を有する警報器を備え、
前記第２の制御部は、前記第２の受信部から受け取った前記「時刻信号」と、前記電波時計の時刻を比較して、両者の時刻に所定の時間以上のずれがあると判断した場合に、動作信号を送って前記ランプを点灯させることを特徴とする請求項１に記載の電源供給装置。
【請求項３】
契約に基づいて電力会社から需要家に対して付与される「契約番号」が前記「第１の識別番号」及び「前記第２の識別番号」として用いられることを特徴とする請求項１又は請求項２に記載の電源供給装置。
【請求項４】
前記スマートメータの「型番号」が前記「第１の識別番号」及び前記「第２の識別番号」として用いられることを特徴とする請求項１又は請求項２に記載の電源供給装置。
【発明の詳細な説明】
【技術分野】
【０００１】
本発明は、スマートメータとともに用いられる電源供給装置に係り、特に、スマートメータの時刻を修正する機能を備えた電源供給装置に関する。
【背景技術】
【０００２】
近年、アナログ式誘導型電力量計に代わるものとして、通信機能を有し、電力をデジタルで計測するスマートメータと呼ばれる電力量計が注目されている。しかし、このスマートメータは、通常、屋外に設置されているため、需要家が屋内で使用している時計と時刻がずれていても需要家はそのことに気が付き難い。そして、両者の時刻がずれていることに気が付かないままでいると、せっかく電気料金の安い時間帯に集中して家電製品等を使用するように心がけていたとしても期待通りの結果が得られないおそれがある。
【０００３】
需要家による電力消費量の節約に貢献するための技術としては、従来、いろいろな方法が提案されている。そして、それに関し、既にいろいろな発明が開示されている。
例えば、特許文献１には、「電力計量器検針・表示システム」という名称で、電力量計の検針結果を需要家が屋内で容易に知ることができるシステムに関する発明が記載されている。
この発明は、屋外に設置された電力計量器から電力使用量等の検針データが無線ＬＡＮユニットにより屋内表示装置へ自動送信される構成としたことを特徴しており、このような構成により、需要家は屋内において電気の使用状態の詳細を逐次把握することが可能となっている。
【０００４】
また、特許文献２には、「電気料金算出装置及び方法」という名称で、複数箇所で使用した電力の合計値やその電気料金を算出する装置と方法に関する発明が記載されている。
この発明に係る「電気料金算出装置」は、プラグが挿入されたとき、その電気機器の利用者と種別を識別して電力を供給するスマートコンセントと、個々の利用者が使用した電力を時間帯ごとに集計する演算部を備え、使用電力の合計値が上限設定値を超えた場合、演算部が所定のスマートコンセントに指令を出して、電力の供給を停止させる構成となっている。
このような構成によれば、電力需要のピーク時において利用者による使用電力の抑制に貢献できる。
【０００５】
さらに、特許文献３には、「電気機器への電力供給管理方法および電力管理ネットワークシステム」という名称で、需要家や電力会社等が電気機器の遠隔操作を行う際に用いられるシステム等に関する発明が記載されている。
この発明に係る「電力管理ネットワークシステム」は、需要家が電力供給を管理したい電気機器や通電を希望する時間帯を管理センタの管理サーバにパソコン等の通信端末を用いて登録するとともに、この登録された情報に基づいて、管理サーバがインターネットを通じて、需要家の電力施設の分電盤を制御し、この分電盤に接続される所定のコンセントに対して電力の供給を開始若しくは停止する構成となっている。
このような構成によれば、需要家は最も料金メリットのある時間帯にあわせて各電気機器を使用することができる。
【０００６】
そして、特許文献４には、「電気料金精算システム及び電気料金精算アダプタ」という名称で、コンセントの使用者に対して電気料金を課すシステムに関する発明が記載されている。
この発明に係る「電気料金精算システム」は、コンセントに接続する電源プラグと、機器の電源プラグを接続する専用コンセントを備え、コンセントから供給された電力を専用コンセントに接続された機器へ供給するアダプタを備えたことを特徴としている。そして、明細書には、このアダプタが時計機能を有し、タイマー設定や電気料金算定における時刻情報等に用いられる時刻管理部と、アダプタの利用に係る契約者ＩＤの認証用データの取得に用いられる認証部を備えること、及び、この認証部は液晶ディスプレイによって電力量や電気料金等を表示する構成としても良いことが記載されている。
近年、電気自動車等に対して、一般のコンセントから充電することが可能になってきているが、上記構成の発明によれば、このように充電専用の設備ではないコンセントから充電しようとした場合でも、その充電分の電気料金がコンセントの所有者に請求されることなく、実際にコンセントを使用した者に課金されるため、一般のコンセントの利用の普及を図ることができる。
【先行技術文献】
【特許文献】
【０００７】
【特許文献１】特開２０１４−１３００１５号公報
【特許文献２】特開２０１３−１４９２８２号公報
【特許文献３】特開２００６−２５４７４号公報
【特許文献４】特開２０１０−９２２３２号公報
【発明の概要】
【発明が解決しようとする課題】
【０００８】
これらの文献に記載された発明では、コンセントがスマートメータによって識別番号を介して識別される構成、及び、スマートメータの内蔵時計にコンセントのタイマーを一致させる構成となっていない。したがって、スマートメータの内蔵時計の時刻と屋内に設置された時計の時刻が合っていない場合、需要家が屋内の時計を基準として電気料金の安い時間帯を選んで電気製品等を使用したとしても思うように電気料金を安くすることができないという課題があった。
【０００９】
本発明はかかる従来の事情に対処してなされたものであり、電気料金の安い時間帯を選んで電気製品等を使用する需要家に対し、スマートメータの内蔵時計の時刻と屋内に設置された時計の時刻が合っていない場合でも不具合が生じるおそれのない電源供給装置を提供することを目的とする。
【課題を解決するための手段】
【００１０】
上記目的を達成するため、第１の発明に係る電源供給装置は、スマートメータとコンセントからなり、スマートメータは、内蔵時計と、この内蔵時計の現在時刻を示す「時刻信号」と「識別信号」を発する通信部と、を備え、コンセントは、「時刻信号」と「識別信号」を受信する第１の受信部と、タイマーと、「第２の識別番号」が保存されたメモリと、差込口と、差込プラグと、この差込プラグと差込口を接続する回路と、この回路を開閉する開閉部と、この開閉部の動作を制御する第１の制御部と、を備え、第１の受信部が受信した「識別信号」により特定される「第１の識別番号」がメモリに保存された「第２の識別番号」と一致した場合に、タイマーは「時刻信号」に基づいて内蔵時計の現在時刻に合わせて時刻を修正し、開閉部は、タイマーに従って前記回路を開閉することを特徴とするものである。
【００１１】
このような構造の電源供給装置においては、コンセントがスマートメータによって「第１の識別番号」と「第２の識別番号」が一致することを条件として識別されるため、「第１の識別番号」の異なる他のスマートメータからの「時刻信号」をコンセントが誤って受信してしまうおそれがない。そして、コンセントのタイマーの動作の基準時刻がスマートメータの内蔵時計の現在時刻に一致するように修正されるという作用を有する。
【００１２】
また、第２の発明は、第１の発明において、スマートメータの通信部から送信された「時刻信号」を受信する第２の受信部と、電波時計と、第２の制御部と、この第２の制御部の指示に従って動作するランプと、を有する警報器を備え、第２の制御部は、第２の受信部から受け取った「時刻信号」と、電波時計の時刻を比較して、両者の時刻に所定の時間以上のずれがあると判断した場合に、動作信号を送ってランプを点灯させることを特徴とするものである。
【００１３】
このような構造の電源供給装置においては、第１の発明の作用に加えて、警報器の電波時計の時刻とスマートメータの内蔵時計の時刻にずれが生じていることがランプにより視覚を通じて需要家に報知されるという作用を有する。
【００１４】
第３の発明は、第１の発明又は第２の発明において、契約に基づいて電力会社から需要家に対して付与される「契約番号」が「第１の識別番号」及び「第２の識別番号」として用いられることを特徴とするものである。
このような構造の電源供給装置においては、第１の発明又は第２の発明の作用に加え、「契約番号」は需要家ごとに異なるため、他の需要家のスマートメータ及びコンセントと「第１の識別番号」及び「第２の識別番号」が重複するという事態が回避されるという作用を有する。
【００１５】
第４の発明は、第１の発明又は第２の発明において、スマートメータの「型番号」が「第１の識別番号」及び「第２の識別番号」として用いられることを特徴とするものである。
このような構造の電源供給装置においては、第１の発明又は第２の発明の作用を有することに加え、「型番号」はスマートメータごとに異なるため、他の需要家のスマートメータ及びコンセントと「第１の識別番号」及び「第２の識別番号」が重複する可能性がないというメリットと、電力会社と需要家の間の契約の有無に関わらず「第１の識別番号」及び「第２の識別番号」の設定が可能になるというメリットがある。
【発明の効果】
【００１６】
第１の発明によれば、需要家は、壁等のコンセントに差込プラグが差し込まれた状態のコンセントの差込口に電気製品等の差込プラグを差し込むとともに、電気料金の安い時間帯にのみ、差込プラグから差込口に電力が供給されるようにタイマーを設定することで、スマートメータの内蔵時計の時刻と屋内に設置された時計の時刻が合っていない場合でも、スマートメータの内蔵時計が正しい時刻を示している場合には、電気製品等への電力の供給がその正しい時刻に従って行われるため、不利益を生じるおそれがない。
【００１７】
第２の発明によれば、第１の発明の効果に加え、需要家は、屋内等に設置されている他の時計を確認するまでもなく、スマートメータの内蔵時計の時刻が正しい時刻からずれていることを瞬時に知ることができるという効果を奏する。
【００１８】
第３の発明によれば、第１の発明又は第２の発明の効果に加え、他の需要家のスマートメータ及びコンセントと「第１の識別番号」及び「第２の識別番号」が重複してしまうおそれがないため、使用時の信頼性が高まるという効果を奏する。
【００１９】
第４の発明においては、第１の発明又は第２の発明の効果に加え、工場出荷時等にコンセントのメモリに対して事前にスマートメータの「型番号」を「第１の識別番号」及び「第２の識別番号」として記憶させておくことで、需要家が「第１の識別番号」及び「第２の識別番号」を設定する操作を不要にし、当該操作による「第１の識別番号」及び「第２の識別番号」の設定ミスを防止できるという効果を奏する。  
【図面の簡単な説明】
【００２０】
【図１】本発明の実施の形態に係る電源供給装置の構成の一例を示すブロック図である。
【図２】（ａ）はスマートメータの正面図であり、（ｂ）及び（ｃ）はそれぞれコンセントの正面図及び側面図である。
【図３】コンセントにおいてタイマーの動作の基準時刻が修正される手順を示したフローチャートである。
【図４】（ａ）及び（ｂ）はコンセントの表示部を拡大して示した図である。
【図５】警報器の構成を示すブロック図である。
【発明を実施するための形態】
【００２１】
本発明の電源供給装置について、図１〜図５を用いて説明する。なお、本発明の電源供給装置を構成するスマートメータやコンセントにおける表示部に表示される画面の形態、あるいは入力部を構成するボタンの形状若しくは配置等は、以下に示した場合に限定されるものではなく、適宜変更可能である。
【実施例】
【００２２】
図１は本発明の実施の形態に係る電源供給装置の構成の一例を示すブロック図である。図２はその電源供給装置の外観を示しており、図２（ａ）はスマートメータの正面図であり、図２（ｂ）及び図２（ｃ）はそれぞれコンセントの正面図及び側面図である。また、図３はコンセントにおいてタイマーの動作の基準時刻が修正される手順を示したフローチャートである。さらに、図４（ａ）及び図４（ｂ）はコンセントの表示部を拡大して示した図であり、図５は警報器の構成を示すブロック図である。
【００２３】
図１に示すように、電源供給装置１は、時刻信号を送信するスマートメータ２と、この時刻信号を受信するコンセント３によって構成されている。矢印Ａで示すように、スマートメータ２では、端子部２ａに接続された機器等によって消費された電力量に関する信号が計量部２ｂに送られる。
また、矢印Ｂで示すように、計量部２ｂでは上記電力量が求められ、その結果が演算部２ｃに送られる。演算部２ｃでは、計量部２ｂによって求められた電力量に基づいて課金計算等の演算が行われ、その結果が矢印Ｃで示すように制御部２ｄに送られる。
【００２４】
そして、矢印Ｄで示すように、計量部２ｂや演算部２ｃの処理によって得られた結果は、制御部２ｄからメモリ２ｅに送られて保存される。
さらに、矢印Ｅで示すように、メモリ２ｅに保存された内容は、制御部２ｄの指示に従ってメモリ２ｅから適宜読み出された後、矢印Ｆで示すように表示部２ｆに送られて表示される。
【００２５】
なお、スマートメータ２は、矢印Ｇで示すように制御部２ｄに時刻を示す信号を送って、各処理が行われるタイミングを管理する内蔵時計２ｇと、外部から受信した信号を矢印Ｈで示すように制御部２ｄへ送ったり、矢印Ｉで示すようにメモリ２ｅから読み出された情報を制御部２ｄから受け取って信号化した後、外部へ送信したりする通信部２ｈと、矢印Ｊで示すように各種の情報や制御部２ｄに対する指示を入力するために用いられる入力部２ｉを備えている。
【００２６】
コンセント３は、スマートメータ２の通信部２ｈから送信された信号を受信する受信部３ａと、タイマー３ｂと、制御部３ｃの指示に従ってタイマー３ｂの動作の基準時刻等を表示する表示部３ｄと、各種の情報や制御部３ｃに対する指示の入力に用いられる入力部３ｅと、この入力部３ｅから入力された情報等が保存されるメモリ３ｆと、壁等に設置されたコンセントに差し込まれる差込プラグ３ｇと、電気製品等の差込プラグが差し込まれる差込口３ｈと、差込プラグ３ｇと差込口３ｈを接続する回路を制御部３ｃの指示に従って開閉する開閉部３ｉと、差込口３ｈに対する上記電力の供給状態を示すランプ３ｊを備えている。
【００２７】
図２（ａ）に示すように、スマートメータ２の前面には、表示部２ｆと、画面切換ボタン４ａ、確定ボタン４ｂ及び操作ボタン４ｃ，４ｄからなる入力部２ｉが設けられている。表示部２ｆは、計量部２ｂによる計量結果を示す「電力量表示画面」と、確定ボタン４ｂ及び操作ボタン４ｃ，４ｄを用いて「第１の識別番号」を入力する際に使用される「識別番号入力画面」が画面切換ボタン４ａを押すごとに切り替わる構成となっている。
【００２８】
なお、上記「第１の識別番号」としては「契約番号」を用いることができる。ただし、「契約番号」とは電力会社と需要家の間の契約に基づいて電力会社から需要家に対して付与される番号のことである。そして、スマートメータ２では、この「契約番号」を１桁ずつ入力可能となっている。
【００２９】
操作ボタン４ｃは入力可能な桁を変更する際に用いられ、操作ボタン４ｄは入力する値を変更する際に用いられる。すなわち、入力可能な桁は、操作ボタン４ｃにおいて、上部の三角印を押すたびに、右へ１つずつ移動し、下部の三角印を押すたびに、左へ１つずつ移動する。また、入力される値は、操作ボタン４ｄにおいて、上部の三角印を押すたびに、０〜９の間で１ずつ大きくなり、下部の三角印を押すたびに、０〜９の間で１ずつ小さくなる。
【００３０】
この「識別番号入力画面」が表示部２ｆに表示されている状態で、確定ボタン４ｂを押すと、画面に表示されている番号が「第１の識別番号」として確定され、その情報が制御部２ｄに送られる（図１の矢印Ｊ参照）。さらに、この「第１の識別番号」に関する情報は、制御部２ｄからメモリ２ｅに送られて保存される（図１の矢印Ｄ参照）。一方、通信部２ｈは、制御部２ｄから「第１の識別番号」に関する情報を受け取り、それを「識別信号」に変換して、内蔵時計２ｇの現在時刻を示す「時刻信号」とともに、所定の時間（例えば、３０分又は６０分）ごとに発する。所定の時間とは、３０分又は６０分に限らず電力供給装置の提供者が予め所望に設定する時間を意味するので、適宜実情に沿って設定されてよい。
【００３１】
図２（ｂ）及び図２（ｃ）に示すように、コンセント３は、表示部３ｄと、画面切換ボタン５ａ、確定ボタン５ｂ及び操作ボタン５ｃ，５ｄからなる入力部３ｅと、差込口３ｈと、ランプ３ｊが前面に設けられており、差込プラグ３ｇが背面に設けられている。また、表示部３ｄは、タイマー３ｂの動作の基準時刻を示す「時刻表示画面」と、「タイマーＯＮ設定画面」と、「タイマーＯＦＦ設定画面」と、「識別番号入力画面」が画面切換ボタン５ａを押すごとに切り替わる構成となっている。
【００３２】
コンセント３においてもスマートメータ２の場合と同様に、「第２の識別番号」として「契約番号」を１桁ずつ入力可能となっている。すなわち、表示部３ｄが「識別番号入力画面」となっている状態で、操作ボタン５ｃの上部の三角印を押すと、入力可能な桁がその都度、右に１つずつ移動し、下部の三角印を押すと、入力可能な桁がその都度、左へ１つずつ移動する。
【００３３】
また、操作ボタン５ｄにおいて、上部の三角印を押すと、入力される値がその都度、０〜９の間で１ずつ大きくなり、下部の三角印を押すと、入力される値がその都度、０〜９の間で１ずつ小さくなる。この状態で、確定ボタン５ｂを押すと、画面に表示されている番号が「第２の識別番号」として確定され、その情報が制御部３ｃに送られる（図１の矢印Ｋ参照）。
さらに、この「第２の識別番号」に関する情報は、制御部３ｃからメモリ３ｆに送られて保存される（図１の矢印Ｌ参照）。
【００３４】
本実施例では、「契約番号」を「第１の識別番号」及び「第２の識別番号」として使用しているが、「契約番号」の代わりにスマートメータ２の「型番号」を「第１の識別番号」及び「第２の識別番号」として使用することもできる。
なお、「契約番号」は需要家ごとに異なるため、「契約番号」を「識別番号」として使用すると、他の需要家のスマートメータ２及びコンセント３と「第１の識別番号」及び「第２の識別番号」が重複してしまうおそれがない。したがって、使用時の信頼性が高まる。
また、「型番号」はスマートメータ２ごとに異なるため、「型番号」を「第１の識別番号」及び「第２の識別番号」として使用した場合、他の需要家のスマートメータ２及びコンセント３と「第１の識別番号」及び「第２の識別番号」が重複する可能性がないというメリットに加え、電力会社と需要家の間の契約の有無に関わらず「第１の識別番号」及び「第２の識別番号」を設定できるというメリットがある。したがって、例えば、工場出荷時等にスマートメータ２のメモリ２ｅ及びコンセント３のメモリ３ｆに対して事前にスマートメータ２の「型番号」を「第１の識別番号」及び「第２の識別番号」として記憶させておくこともできる。この場合、需要家が「第１の識別番号」及び「第２の識別番号」を設定する操作を行う必要がないため、需要家による「第１の識別番号」及び「第２の識別番号」の設定操作ミスを防ぐことができる。
【００３５】
一方、図３に示すように、受信部３ａは、ステップＳ１においてスマートメータ２の通信部２ｈが発した「識別信号」と「時刻信号」を受け取ると、その情報を制御部３ｃに送り（図１の矢印Ｎ参照）、制御部３ｃは、ステップＳ２においてメモリ３ｆに保存されている「第２の識別番号」を読み出して（図１の矢印Ｍ参照）、受信部３ａが受信した「識別信号」によって特定される「第１の識別番号」と比較する。そして、両者が一致した場合、ステップＳ３において、制御部３ｃは受信部３ａから送られてきた「時刻信号」をタイマー３ｂと表示部３ｄに送る（図１の矢印Ｏ，Ｐ参照）。
その結果、ステップＳ４において、この「時刻信号」に基づいて、タイマー３ｂは動作の基準時刻をスマートメータ２の内蔵時計２ｇの現在時刻に一致するように修正し、表示部３ｄは、ステップＳ５において当該時刻を現在時刻として「時刻表示画面」に表示する。
【００３６】
なお、ステップＳ２において、スマートメータ２の通信部２ｈが発した「識別信号」によって特定される「第１の識別番号」とメモリ３ｆに保存されている「第２の識別番号」が一致しなかった場合、ステップＳ２の前に戻る。すなわち、この場合、受信部３ａから送られてきた「時刻信号」はタイマー３ｂに送られず、タイマー３ｂの動作の基準時刻の修正は行われない。
【００３７】
図４（ａ）又は図４（ｂ）に示すように、表示部３ｄに「タイマーＯＮ設定画面」又は「タイマーＯＦＦ設定画面」が表示されている状態で、操作ボタン５ｃの上部の三角印を押すと、「タイマー作動時刻」又は「タイマー停止時刻」が「分」について変更可能となる。また同様にして、操作ボタン５ｃの下部の三角印を押すと、「時」について変更可能となる。そして、操作ボタン５ｄの上部の三角印を押すと、「時」について変更可能な状態であれば、０時〜２３時の間で１時間ずつ設定時間を遅らせることができ、「分」について変更可能な状態であれば、０分〜５９分の間で１分ずつ設定時間を遅らせることができる。
同様に、操作ボタン５ｄの下部の三角印を押すと、「時」について変更可能な状態であれば、０時〜２３時の間で１時間ずつ設定時間を早くすることができ、「分」について変更可能な状態であれば、０分〜５９分の間で１分ずつ設定時間を早くすることができる。
【００３８】
また、表示部３ｄに「タイマーＯＮ設定画面」又は「タイマーＯＦＦ設定画面」が表示されている状態で、確定ボタン５ｂを押すと、画面に表示されている時刻が「タイマー作動時刻」又は「タイマー停止時刻」として確定され、その情報が制御部３ｃを経由した後（図１の矢印Ｋ参照）、メモリ３ｆに送られて保存される（図１の矢印Ｌ参照）。なお、「タイマー作動時刻」と「タイマー停止時刻」が同じ時刻に設定されている場合、「タイマー作動時刻」になってもタイマー３ｂは作動しない。
【００３９】
さらに、制御部３ｃは、タイマー３ｂから随時送られてくる時刻情報（図１の矢印Ｑ参照）とメモリ３ｆに保存されている「タイマー作動時刻」又は「タイマー停止時刻」に基づいて、開閉部３ｉとランプ３ｊに動作信号を送る（図１の矢印Ｒ，Ｓ参照）。その結果、「タイマー作動時刻」になると、開閉部３ｉは差込プラグ３ｇと差込口３ｈを接続する回路を閉じ、ランプ３ｊは点灯する。一方、「タイマー停止時刻」になると、開閉部３ｉは上記回路を開き、ランプ３ｊは消灯する。すなわち、差込プラグ３ｇを介して外部から供給された電力は、「タイマー作動時刻」から「タイマー停止時刻」の間だけ、差込口３ｈに供給される（図１の矢印Ｔ１，Ｔ２参照）。
【００４０】
このような構造の電源供給装置１においては、コンセント３がスマートメータ２によって「第１の識別番号」と「第２の識別番号」が一致することを条件として識別されるため、「第１の識別番号」の異なる他のスマートメータからの「時刻信号」をコンセント３が誤って受信してしまうおそれがない。
そして、コンセント３のタイマー３ｂの動作の基準時刻がスマートメータ２の内蔵時計２ｇの現在時刻に一致するように修正されるという作用を有する。そのため、需要家は、壁等のコンセントに差込プラグ３ｇが差し込まれた状態のコンセント３の差込口３ｈに電気製品等の差込プラグを差し込むとともに、電気料金の安い時間帯にのみ、差込プラグ３ｇから差込口３ｈに電力が供給されるようにタイマー３ｂを設定することによれば、スマートメータ２の内蔵時計２ｇの時刻と屋内に設置された時計の時刻が合っていない場合でも、、スマートメータ２の内蔵時計２ｇが正しい時刻を示している場合には、電気製品等への電力の供給が正しい時刻に従って行われるため、思うように電気料金が安くならないという不具合は生じない。
【００４１】
なお、電源供給装置１は、本実施例で示した構造に限定されるものではない。例えば、図５に示すような警報器６を備えた構造とすることもできる。
図５に示すように、警報器６は、スマートメータ２の通信部２ｈから送信された「時刻信号」を受信する受信部６ａと、電波時計６ｂと、制御部６ｃと、この制御部６ｃの指示に従って動作するランプ６ｄを備えており、制御部６ｃは、受信部６ａから受け取った「時刻信号」（矢印Ｕ）と、電波時計６ｂの時刻（矢印Ｖ）を比較して、両者に所定の時間以上のずれ、具体的には両者に１分以上のずれがあると判断した場合に、動作信号を送って（矢印Ｗ）ランプ６ｄを点灯させる構造となっている。
このような構造によれば、警報器６の電波時計６ｂの時刻とスマートメータ２の内蔵時計２ｇの時刻にずれが生じていることを需要家が目視で容易に確認することができる。これにより、需要家は、屋内等に設置されている他の時計を確認するまでもなく、スマートメータ２の内蔵時計２ｇの時刻が正しい時刻からずれていることを瞬時に知ることができる。
【００４２】
本実施例では、受信部６ａから受け取った「時刻信号」と、電波時計６ｂの時刻を比較して、両者に１分以上のずれがあると判断した場合に、制御部６ｃが動作信号を送ってランプ６ｄを点灯させる構造となっているが、制御部６ｃがランプ６ｄを点灯させる条件である上述の時刻のずれに関する所定の時間以上とは、電力供給装置の提供者が予め所望に設定する時間を意味するので、適宜実情に沿って設定されてもよいし、適宜変更可能である。
【産業上の利用可能性】
【００４３】
本発明は、電気料金の安い時間帯を選んで電気製品等の使用をするように心がけている需要家がスマートメータの内蔵時計が正確でない場合でも不利益を被らないようにすることを目的として使用されるものである。
【符号の説明】
【００４４】
１…電源供給装置  ２…スマートメータ  ２ａ…端子部  ２ｂ…計量部  ２ｃ…演算部  ２ｄ…制御部  ２ｅ…メモリ  ２ｆ…表示部  ２ｇ…内蔵時計  ２ｈ…通信部  ２ｉ…入力部  ３…コンセント  ３ａ…受信部  ３ｂ…タイマー  ３ｃ…制御部  ３ｄ…表示部  ３ｅ…入力部  ３ｆ…メモリ  ３ｇ…差込プラグ  ３ｈ…差込口  ３ｉ…開閉部  ３ｊ…ランプ  ４ａ…画面切換ボタン  ４ｂ…確定ボタン  ４ｃ，４ｄ…操作ボタン  ５ａ…画面切換ボタン  ５ｂ…確定ボタン  ５ｃ，５ｄ…操作ボタン  ６…警報器  ６ａ…受信部  ６ｂ…電波時計  ６ｃ…制御部  ６ｄ…ランプ
【図１】
2018072080.tif 000003
【図２】
2018072080.tif 000004
【図３】
2018072080.tif 000005
【図４】
2018072080.tif 000006
【図５】
2018072080.tif 000007